(57)【要約】【課題】可動役物装置の動作の趣向性向上が図られる遊技機の提供を目的とする。【解決手段】本発明の遊技機１０は、第１可動役物装置１００を有する。第１可動役物装置１００には、前後方向に沿った回動軸を中心として第１回動位置と、第２回動位置の間を移動可能な回動ベース１１１が備えられている。その回動ベース１１１には、回動ベース１１１の回動方向である第１回動位置側の第１進退位置と、第２回動位置側の第２進退位置との間を移動可能な進退部材１２１が搭載されている。【選択図】図４
2019165944.tif 000002
【特許請求の範囲】
【請求項１】
可動役物装置を備えた遊技機において、
前記可動役物装置は、
前後方向に沿った回動軸を中心として回動可能に支持されて第１回動位置と第２回動位置の間を移動可能な回動部材と、
前記回動部材に搭載されて前記回動部材の回動方向に進退可能であって前記第１回動位置側の第１進退位置と前記第２回動位置側の第２進退位置との間を移動可能な進退部材と、を有する、遊技機。
【請求項２】
前記可動役物装置は、
前記進退部材に搭載されて前記進退部材の進退方向に沿って移動可能に支持されると共に、前記進退部材に重ねられる退避位置と前記進退部材から前記第２進退位置側に突出する突出位置との間を移動可能な突出部材をさらに有し、
前記突出部材は、前記進退部材の前記第１進退位置から前記第２進退位置への移動に伴って前記退避位置から前記突出位置に移動する、請求項１に記載の遊技機。
【請求項３】
前記突出部材は、前記退避位置に配置されたときに前記進退部材に前側を覆われる、請求項２に記載の遊技機。
【請求項４】
前記突出部材は、前記進退部材に回転自在に支持され、その回転中心から離れた部位が前記進退部材の移動に伴って前記回動部材に摺接することで回転するように構成された、請求項２又は３に記載の遊技機。
【請求項５】
前記突出位置は、前記進退部材がその移動ストロークの途中位置より前記第２進退位置側を移動するときに、前記進退部材と一体になって前記回動部材の回動方向に移動する、請求項４に記載の遊技機。
【請求項６】
前記回動部材の前記回動軸は、前記回動部材において、前記第２回動位置側であって前記回動部材の回動方向と直交する方向の片側に寄せて配置されている、請求項１乃至５のうち何れか１の請求項に記載の遊技機。
【請求項７】
前記回動部材及び前記進退部材には、前記回動部材の回動方向と直交する方向で対をなす１対の装飾部が設けられ、
前記１対の装飾部のうち前記回動部材の前記回動軸から遠い側の装飾部は、該回動軸から近い側の装飾部より大きく形成されている、請求項６に記載の遊技機。
【発明の詳細な説明】
【技術分野】
【０００１】
本発明は、可動役物装置を備えた遊技機に関する。
【背景技術】
【０００２】
特許文献１の遊技機では、可動役物装置が、前後方向に沿った回動軸を中心として回動可能な回動部材を備えている。
【先行技術文献】
【特許文献】
【０００３】
【特許文献１】特開２００８−１０４６３７号（段落［０１３１］〜［０１３２］、図１１、図１５）
【発明の概要】
【発明が解決しようとする課題】
【０００４】
特許文献１の遊技機では、可動役物装置の動作が単純で興趣に欠けるという問題があった。
【０００５】
本発明は、上記事情に鑑みてなされたもので、可動役物装置の動作の趣向性向上が図られる遊技機の提供を目的とする。
【課題を解決するための手段】
【０００６】
第１の手段は、可動役物装置を備えた遊技機において、前記可動役物装置は、前後方向に沿った回動軸を中心として回動可能に支持されて第１回動位置と第２回動位置の間を移動可能な回動部材と、前記回動部材に搭載されて前記回動部材の回動方向に進退可能であって前記第１回動位置側の第１進退位置と前記第２回動位置側の第２進退位置との間を移動可能な進退部材と、を有する、遊技機である。
【発明の効果】
【０００７】
上記発明によれば、可動役物装置の動作の趣向性向上が図られる。
【図面の簡単な説明】
【０００８】
【図１】本発明の一実施形態に係る遊技機の正面図
【図２】遊技盤の正面図
【図３】機構枠の正面図
【図４】第１可動役物装置の動作を示す正面図
【図５】回動ベースの動作を示す正面図
【図６】進退部材の動作を示す側断面図
【図７】直動駆動機構の動作を示す図
【図８】装飾部材の動作を示す正面図
【図９】突出部材の動作を示す正断面図
【図１０】第２可動役物装置の動作を示す正面図
【図１１】（Ａ）第１可動部の側断面図、（Ｂ）第２可動部の側断面図
【図１２】第１駆動機構の正面図
【図１３】第１可動体の動作を示す正面図
【図１４】第２駆動機構の正面図
【図１５】第２可動体の動作を示す正面図
【図１６】複合役物演出を説明するための正面図
【図１７】本発明の変形例に係る直動駆動機構の動作を示す図
【発明を実施するための形態】
【０００９】
図１に示されるように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。なお、以下の説明において、特記しない限り「右」及び「左」とは、遊技機１０を前方から見た場合の「右」及び「左」を指すものとする。
【００１０】
前面枠１０Ｚのうちガラス窓１０Ｗより下方には、上皿２６と下皿２７が上下２段にして設けられ、下皿２７の右側には、発射ハンドル２８が備えられている。そして、発射ハンドル２８が回動操作されると、上皿２６に収容された遊技球が遊技領域Ｒ１（図２）に向けて弾き出される。
【００１１】
図２に示されるように、遊技領域Ｒ１は、遊技盤１１の前面から突出したガイドレール１２に囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。表示画面１３Ｇでは、遊技に関する種々の演出が行われる。
【００１２】
表示開口１１Ｈの開口縁には、表示画面１３Ｇを囲むように表示装飾枠２３が取り付けられている。表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１３】
遊技領域Ｒ１のうち表示装飾枠２３より下側部分の横方向の中央部には、第１始動入賞口１４ＡＫが設けられている。第１始動入賞口１４ＡＫは、遊技球が１つずつ入球可能な大きさの開口を上部に有するポケット構造をなしている。
【００１４】
第１始動入賞口１４ＡＫの下方には、第１大入賞装置１５Ａが設けられている。第１大入賞装置１５Ａは、右側に開放した第１大入賞口１５ＡＫと、第２大入賞口１５ＡＫの右側に配置された第１可変部材１５ＡＴと、を備えている。第１可変部材１５ＡＴは、左下り傾斜し、遊技盤１１の前面から突出した第１突出位置と、該第１突出位置より突出が抑えられた第１退避位置と、の間をスライド可能に構成されている。そして、第１可変部材１５ＡＴが第１突出位置に配置されたときに、第１可変部材１５ＡＴを案内にして遊技球が第１大入賞口１５ＡＫに入球可能となり、第１可変部材１５ＡＴが第１退避位置に配置されたときに、遊技球が第１大入賞口１５ＡＫに入球困難となる。
【００１５】
遊技領域Ｒ１のうち表示装飾枠２３の右側には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１６】
始動ゲート１８の下方には、第２始動入賞装置１４Ｂが設けられている。第２始動入賞装置１４Ｂは、左側に開放した第２始動入賞口１４ＢＫと、第２始動入賞口１４ＢＫの左側で右下がりに傾斜した始動可変部材１４ＢＴと、を備えている。始動可変部材１４ＢＴは、遊技盤１１の前面から突出した始動突出位置と該始動突出位置より突出が抑えられた始動退避位置との間をスライド可能に構成されていて、通常は、始動退避位置に配置され、上述した普通図柄当否判定の結果が当りになると、所定の期間だけ始動突出位置に配置される。そして、始動可変部材１４ＢＴが始動突出位置に配置されたときに、始動可変部材１４ＢＴを案内にして遊技球が第２始動入賞口１４ＢＫに入球可能となり、始動可変部材１４ＢＴが始動退避位置に配置されたときに、遊技球が始動入賞口１４ＢＫに入球困難となる。
【００１７】
第２始動入賞装置１４Ｂの下方には、第２大入賞装置１５Ｂが設けられている。第２大入賞装置１５Ｂは、上側に開放した第２大入賞口１５ＢＫと、第２大入賞口１５ＢＫを開閉する第２可変部材１５ＢＴと、を備えている。第２可変部材１５ＢＴは、遊技盤１１の前面から突出した第２突出位置と、該第２突出位置より突出が抑えられた第２退避位置と、の間をスライド可能に構成されている。そして、第２可変部材１５ＢＴが第２突出位置に配置されたときに、第２大入賞口１５ＢＫが閉塞されて遊技球が第２大入賞口１５ＢＫに入球困難となり、第２可変部材１５ＢＴが第２退避位置に配置されたときに、第２大入賞口１５ＢＫが開放されて遊技球が第２大入賞口１５ＢＫに入球可能となる。
【００１８】
第１始動入賞口１４ＡＫ又は第２始動入賞口１４ＢＫに遊技球が入球すると、所定数の遊技球が賞球として上皿２６（図１参照）に払い出されると共に、特別図柄当否判定が行われる。
【００１９】
特別図柄当否判定の結果が当りになると、大当り遊技が実行され、第１大入賞口１５ＡＫ又は第２大入賞口１５ＢＫに遊技球が入球可能となる。第１大入賞口１５ＡＫ又は第２大入賞口１５ＢＫに遊技球が入球すると、所定数の遊技球が賞球として払い出される。
【００２０】
遊技領域Ｒ１には、上述した入賞口１４ＡＫ，１４ＢＫ，１５ＡＫ，１５ＢＫのほかに、上方又は側方に開放して遊技球が常時入球可能な一般入賞口２０が複数設けられている。また、遊技領域Ｒ１の下端部、具体的には、第１可変部材１５ＡＴの下方には、何れの入賞口にも入球しなかった遊技球を遊技領域Ｒ１の外側に排出するためのアウト口１６が設けられている。さらに、遊技領域Ｒ１には、遊技球の流下方向をランダムに変更するための障害釘Ｋが多数植設されている。
【００２１】
本実施形態の遊技機１０では、遊技盤１１の後側に、図３に示される機構枠１７を備えている。機構枠１７には、第１可動役物装置１００と第２可動役物装置２００を含む種々の装置が組み付けられている。
【００２２】
［第１可動役物装置１００］
図３及び図４に示されるように、第１可動役物装置１００は、機構枠１７に固定された固定ベース１０１と、固定ベース１０１に対して移動可能な移動演出部１１０と、を有する。図５（Ｂ）に示されるように、固定ベース１０１は、横辺部１０１Ａと、横辺部１０１Ａの両側部から下側へ延びた１対の縦辺部１０１Ｂ，１０１Ｂと、からなる。横辺部１０１Ａは、機構枠１７の上辺部１７Ｊに前側から重ねられ、１対の縦辺部１０１Ｂ，１０１Ｂは、機構枠１７の側辺部１７Ｓ，１７Ｓに重ねられる。なお、左側の縦辺部１０１Ｂは、右側の縦辺部１０１Ｂよりも長くなっている。
【００２３】
図４（Ａ）及び図４（Ｂ）に示されるように、移動演出部１１０は、固定ベース１０１に対して前後方向に沿った軸を中心に回動可能な回動ベース１１１を備えている。図５に示されるように、回動ベース１１１は、回動横辺部１１１Ａと、回動横辺部１１１Ａの左右の両端部から下側へ延びた１対の回動縦辺部１１１Ｂ，１１１Ｂと、を備えた略門形状に形成されている。なお、１対の回動縦辺部１１１Ｂ，１１１Ｂは共に、固定ベース１０１の右側の縦辺部１０１Ｂと略同じ長さになっている。
【００２４】
図５（Ａ）及び図５（Ｂ）に示されるように、回動ベース１１１は、固定ベース１０１の右側の縦辺部１０１Ｂの下端部に回動可能に支持され、通常は、第１回動位置（図５（Ａ）参照）に配置されている。回動ベース１１１が第１回動位置に配置された状態では、回動横辺部１１１Ａが固定ベース１０１の横辺部１０１Ａに前側から重ねられ、１対の回動縦辺部１１１Ｂ，１１１Ｂが固定ベース１０１の１対の縦辺部１０１Ｂ，１０１Ｂに前側から重ねられる。所定の回動条件が成立すると、回動ベース１１１は、左側の回動縦辺部１１１Ｂが下方へ移動するように反時計方向に回転して、第２回動位置（図５（Ｂ）参照）に配置される。このとき、回動ベース１１１は、回動横辺部１１１Ａが左下がりに傾斜するように配置され、表示画面１３Ｇ（図２参照）の中央部を前側から覆う。ここで、回動ベース１１１の回動軸部１１１Ｊは、回動ベース１１１の横方向一方側の下端部（具体的には、回動縦辺部１１１Ｂの下端部）に配置されるので、第２回動位置へと向かう回動ベース１１１を傾くように見せることが可能となる。
【００２５】
なお、固定ベース１０１の左側の縦辺部１０１Ｂには、回動ベース１１１の回転軸部１１１Ｊを中心とした円弧状のガイド孔１０１Ｇが形成されていて、このガイド孔１０１Ｇに、回動横辺部１１１Ａの左側部から後側（図５では、紙面奥側）に突出するガイド突部１１１Ｇが係合することで、固定ベース１０１に対する回動ベース１１１の回動の安定化が図られている。
【００２６】
回動ベース１１１は、固定ベース１０１に搭載された回動駆動機構１０２により駆動される。回動駆動機構１０２は、駆動源１０３と、駆動源１０３により駆動される回動レバー１０４と、を備えている。回動レバー１０４は、固定ベース１０１の横辺部１０１Ａの左端寄り部分に回動可能に支持され、その回動中心から右側へ張り出している。回動レバー１０４の先端部には、回動レバー１０４の張り出し方向に延びた先端長孔１０５が形成されていて、この先端長孔１０５に、回動ベース１１１の横辺部１１１Ａから後側に突出した係合突部１０５Ｔが係合している。また、回動レバー１０４の中間部には、回動レバー１０４の張り出し方向に延びた中間長孔１０６が形成されている。中間長孔１０６には、駆動源１０３により駆動される中継ギア１０３Ｇに形成された回転突部１０６Ｔが係合している。そして、中継ギア１０３Ｇが回転すると、回動レバー１０４が回動し、回動ベース１１１が固定ベース１０１に対して回動軸部１１１Ｊを中心に回動する。
【００２７】
図６に示されるように、回動ベース１１１は、回動ベース本体１１２と、回動ベース１１２に前側から重ねて固定された装飾プレート１１３と、を備える。具体的には、回動ベース本体１１２は、前壁１１２Ａと後壁１１２Ｂの上端部同士が天井壁１１２Ｔで連絡されて、下側に開放した断面コの字状をなし、前壁１１２Ａの前面に装飾プレート１１３が固定されている。なお、前壁１１２Ａの天井壁１１２Ｔからの突出量は後壁１１２Ｂよりも小さくなっている。
【００２８】
図４（Ｂ）から図４（Ｃ）の変化に示されるように、移動演出部１１０は、回動ベース１１１に搭載されて回動ベース１１１の回動方向に移動可能な進退部材１２１を備えている。図６に示されるように、進退部材１２１は、前後方向で対向したスライド部材１２２と装飾部材１２３の下端部同士が連結部材１２１Ａによって連結されてなる。スライド部材１２２は、前後方向で回動ベース１１１の後壁１１２Ｂと装飾プレート１１３の間に配置され、装飾部材１２３は、回動ベース１１１の装飾プレート１１３より前側に配置されている。
【００２９】
スライド部材１２２は、後壁１１２Ｂに対して天井壁１１２Ｔと略垂直な方向に直動可能となっている。具体的には、図７に示されるように、後壁１１２Ｂには、天井壁１１２Ｔに対して略垂直な方向に延在するガイド孔１１２Ｇが形成されていて、このガイド孔１１２Ｇに、スライド部材１２２から後側に突出したガイド突部１２２Ｇが係合することで、スライド部材１２２が回動ベース１１２に直動可能に支持されている。
【００３０】
進退部材１２１は、通常は、図６（Ａ）及び図７（Ａ）に示される第１進退位置に配置される。このとき、スライド部材１２２は、回動ベース１１１の装飾プレート１１３の後側に配置され、装飾部材１２３は、装飾プレート１１３を前側から覆う。所定のスライド条件が成立すると、スライド部材１２２がガイド孔１１２Ｇに沿って下側へ移動し、進退部材１２１は、図６（Ｂ）及び図７（Ｂ）に示される第２進退位置に配置される。このとき、スライド部材１２２及び装飾部材１２３は、装飾プレート１１３から下側に突出し、装飾プレート１１３が露出する。そして、装飾プレート１１３と装飾部材１２３の装飾が回動ベース１１１の回動方向に並べられる（図４（Ｃ）参照）。
【００３１】
図７に示されるように、スライド部材１２２は、回動ベース１１１に備えた直動駆動機構１１５によって駆動される。直動駆動機構１１５は、駆動源１１６と、駆動源１１６により駆動される回動レバー１１７と、を備えている。回動レバー１１７は、回動ベース１１１の後壁１１２Ｂの右側部に回動可能に支持され、その回動中心から左側へ張り出している（回動ベース１１１を後側から見た図７では、左右が反対に示されている。）。なお、詳細には、図６に示されるように、後壁１１２Ｂは、中空構造に形成されていて、回動レバー１１７は、後壁１１２Ｂの内部に収容されている。
【００３２】
図７に示されるように、回動レバー１１７の先端部は、ガイド孔１１２Ｇと重なるように配置され、回動レバー１１７の先端部には、回動レバー１１７の張り出し方向に延びた先端長孔１１８が形成されている。そして、この先端長孔１１８に、上述したスライド部材１２２のガイド突部１２２Ｇが係合している。また、回動レバー１１７の中間部には、回動レバー１１７の張り出し方向に延びた中間長孔１１９が形成されている。中間長孔１１９には、駆動源１１６により駆動される中継ギア１１６Ｇに突設された回転突部１１９Ｔが係合している。中継ギア１１６Ｇが回転すると、回動レバー１１７が回動し、スライド部材１２２がガイド孔１１２Ｇに沿って直動する。
【００３３】
図８に示されるように、装飾部材１２３は、左側装飾構成体１２３Ｌと中央側装飾構成体１２３Ｃと右側装飾構成体１２３Ｒの３つの装飾構成体を横並びにして備えている。上述した連結部材１２１Ａ（図６参照）は、中央側装飾構成体１２３Ｃとスライド部材１２２とを連結し、中央側装飾構成体１２３Ｃは、スライド部材１２２と一体に移動する。
【００３４】
左側装飾構成体１２３Ｌと右側装飾構成体１２３Ｒは、中央側装飾構成体１２３Ｃに回転自在に支持されている。具体的には、中央側装飾構成体１２３Ｃは、下側が幅狭となる逆台形状に形成されていて、左側装飾構成体１２３Ｌは、中央側装飾構成体１２３Ｃの下端部の左側部に支持され、右側装飾構成体１２３Ｒは、中央側装飾構成体１２３Ｃの下端部の右側部に支持されている。左側装飾構成体１２３Ｌは、その回転軸部１２３ＬＪから左側へと延びていて、右側装飾構成体１２３Ｒは、その回転軸部１２３ＲＪから右側へと延びている。なお、左側装飾構成体１２３Ｌ及び右側装飾構成体１２３Ｒは、回転軸部１２３ＬＪ，１２３ＲＪから離れるに従って幅広となる扇形状に形成されている。
【００３５】
左側装飾構成体１２３Ｌ及び右側装飾構成体１２３Ｒの回転軸部１２３ＬＪ，１２３ＲＪから離れた側の端部は、回動ベース１１１に支持されている。具体的には、回動ベース１１１の両側部（詳細には、回動横辺部１１１Ａの両側部）には、１対の係合孔１２４，１２４が形成されている。左側の係合孔１２４には、左側装飾構成体１２３Ｌに突設された係合突部１２３ＬＴが係合している。右側の係合孔１２４には、右側装飾構成体１２３Ｒに突設された係合突部１２３ＲＴが係合している。各係合孔１２４は、回動横辺部１１１Ａの中央側へ下るように傾斜した傾斜部１２４Ａと、傾斜部１２４Ａの下端部から図７で示したガイド孔１１２Ｇと平行に延びる直線部１２４Ｂと、からなる。
【００３６】
図８（Ａ）から図８（Ｂ）への変化に示されるように、進退部材１２１が第１進退位置から第２進退位置側へ移動すると、左側装飾構成体１２３Ｌの係合突部１２３ＬＴが左側の係合孔１２４における傾斜部１２４Ａの内面によって右側に押され、左側装飾構成体１２３Ｌが回動軸部１２３ＬＪを中心にして時計方向に回転する。また、右側装飾構成体１２３Ｒの係合突部１２３ＲＴが右側の係合孔１２４における傾斜部１２４Ａの内面によって左側に押され、右側装飾構成体１２３Ｒが回動軸部１２３ＲＪを中心にして反時計方向に回転する。その結果、左側装飾構成体１２３Ｌの回動軸部１２３ＬＪから離れた部分と右側装飾構成体１２３Ｒの回動軸部１２３ＲＪから離れた部分が中央側装飾構成体１２３Ｃ側に寄せられる。このように、本実施形態では、進退部材１２１が第２進退位置へ向かうにつれて装飾部材１２３が窄まるように動作する。これにより、進退部材１２１の動作に躍動感を持たせることが可能となる。
【００３７】
図８（Ｂ）から図８（Ｃ）への変化に示されるように、進退部材１２１が更に第２進退位置側へ移動すると、左側装飾構成体１２３Ｌの係合突部１２３ＬＴと右側装飾構成体１２３Ｒの係合突部１２３ＲＴが係合孔１２４の直線部１２４Ｂに沿って移動し、左側装飾構成体１２３Ｌ、中央側装飾構成体１２３Ｃ及び右側装飾構成体１２３Ｒが一体となって第２進退位置側に直動する。なお、進退部材１２１が第２進退位置から第１進退位置へ移動するときには、装飾部材１２３の各装飾構成体１２３Ｌ，１２３Ｃ，１２３Ｒは、図８（Ｃ）→図８（Ｂ）→図８（Ａ）の変化に示されるように、上述とは逆の動きをする。
【００３８】
図９に示されるように、進退部材１２１には、突出部材１３０が搭載されている。突出部材１３０は、進退部材１２１に重ねられる退避位置（図９（Ａ）参照）と、進退部材１２１に対して第２進退位置側に突出する突出位置（図９（Ｂ）及び図９（Ｃ）参照）と、の間を移動可能に構成されている。詳細には、突出部材１３０は、図６に示されるように、進退部材１２１のスライド部材１２２と装飾部材１２３の間に配置され、退避位置に配置されたときに、装飾部材１２３の後側に隠れ（図６（Ａ）参照）、突出位置に配置されたときに、装飾部材１２３から下側に突出する（図６（Ｂ）参照）。
【００３９】
本実施形態では、突出部材１３０が進退部材１２１の両側部に対をなして備えられている。左側の突出部材１３０は、進退部材１２１のスライド部材１２２の左下隅部に回転自在に支持され、右側の突出部材１３０は、スライド部材１２２の右下隅部に回転自在に支持されている。ここで、左側と右側の突出部材１３０，１３０を左側突出部材１３０Ｌ、右側突出部材１３０Ｒと称して区別すると、左側突出部材１３０Ｌは、その回転軸部１３０ＬＪから左上側へ扇形状に張り出した基幹部位１３０ＬＡと、該基幹部位１３０ＬＡの先端部から右側に翼状に張り出した先端張出部位１３０ＬＢと、で構成されている。また、右側突出部材１３０Ｒは、その回転軸部１３０ＲＪから右上側へ扇形状に張り出した基幹部位１３０ＲＡと、該基幹部位１３０ＲＡから左側に翼状に張り出した先端張出部位１３０ＲＢと、で構成されている。
【００４０】
スライド部材１２２の左右中央寄り部分には、左側突出部材１３０Ｌの回転軸部１３０ＬＪを中心とした円弧状の左側ガイド孔１３１Ｌと、右側突出部材１３０Ｒの回転軸部１３０ＲＪを中心とした円弧状の右側ガイド孔１３１Ｒと、が形成されている。そして、左側ガイド孔１３１Ｌに、左側突出部材１３０Ｌの先端張出部位１３０ＬＢから後側に突出した左側ガイド突部１３２Ｌが係合することで、左側突出部材１３０Ｌの回転の安定化が図られ、右側ガイド孔１３１Ｒに、右側突出部材１３０Ｒの先端張出部位１３０ＲＢから後側に突出した右側ガイド突部１３２Ｒが係合することで、右側突出部材１３０Ｒの回転の安定化が図られている。
【００４１】
左側突出部材１３０Ｌと右側突出部材１３０Ｒの基幹部位１３０ＬＡ，１３０ＲＡは、回動ベース１１１の両側部に支持されている。具体的には、回動ベース１１１の両側部（詳細には、１対の回動縦辺部１１１Ｂ，１１１Ｂの両側部）には、１対の係合孔１３４，１３４が形成されていて、左側の係合孔１３４に左側突出部材１３０Ｌの基幹部位１３０ＬＡに突設された係合突部１３５が係合し、右側の係合孔１３４に右側突出部材１３０Ｒの基幹部位１３０ＲＡに突設された係合突部１３５が係合している。１対の係合孔１３４，１３４は、回動ベース１１１の左右中央側へ下るように傾斜した傾斜部１３４Ａと、傾斜部１３４Ａの下端部から図７で示したガイド孔１１２Ｇと平行に延びる直線部１３４Ｂと、からなる。
【００４２】
図９（Ａ）から図９（Ｂ）への変化に示されるように、進退部材１２１が第１進退位置から第２進退位置側へ移動すると、左側突出部材１３０Ｌの係合突部１３５が左側の係合孔１３４の傾斜部１３４Ａにより右側に押されて、左側突出部材１３０Ｌが回動軸部１３０ＬＪを中心にして時計方向に回転する。このとき、右側突出部材１３０Ｒの係合突部１３５が右側の係合孔１３４の傾斜部１３４Ａにより左側に押されて、右側突出部材１３０Ｒが回動軸部１３０ＲＪを中心にして反時計方向に回転する。その結果、左側突出部材１３０Ｌ及び右側突出部材１３０Ｌが、退避位置から突出位置へと移動し、進退部材１２１に対して第２進退位置側に突出する。このように、本実施形態では、進退部材１２１の第２進退位置側への移動に伴って突出部材１３０が進退部材１２１から突出する。これにより、進退部材１２１の動作に一層の躍動感を持たせることが可能となる。
【００４３】
進退部材１２１が図９（Ｂ）に示される位置から更に第２進退位置側へ移動すると、左側突出部材１３０Ｌと右側突出部材１３０Ｒの係合突部１３５は係合孔１３４の直線部１３４Ｂに沿って移動し、左側突出部材１３０Ｌ及び右側突出部材１３０Ｒは、進退部材１２１と一体に第２進退位置側に直動する。なお、進退部材１２１が第２進退位置から第１進退位置へ移動するときには、左側突出部材１３０Ｌ及び右側突出部材１３０Ｒは、図９（Ｃ）→図９（Ｂ）→図９（Ａ）の変化に示されるように、上述とは逆の動きをする。
【００４４】
本実施形態の第１可動役物装置１００では、進退部材１２１は、回動ベース１１１が停止しているときに駆動されてもよいし、図４（Ｂ）から図４（Ｃ）への変化に示されるように、回動ベース１１１が回動しているときに駆動されてもよい。後者の場合、回動ベース１１１が第２回動位置へ向かうときに、進退部材１２１が第１進退位置から第２進退位置へと駆動され、回動ベース１１１が第１回動位置へ向かうときに、進退部材１２１が第２進退位置から第１進退位置へと駆動されることが好ましい。このように進退部材１２１が駆動されると、回動ベース１１１の回動する方向に進退部材１２１が移動することになり、第１可動役物装置１００の動作に躍動感を持たせることが可能となると共に、回動ベース１１１と進退部材１２１が回動ベース１１１の回動方向に伸縮するように見せることが可能となる。
【００４５】
しかも、進退部材１２１が第２進退位置に配置されると、突出部材１３０が進退部材１２１に対して第２進退位置側に突出するので、第１可動役物装置１００の動作に一層の躍動感を持たせることが可能となる。さらに、図８（Ｂ）から図８（Ｃ）への変化に示されるように、進退部材１２１が第２進退位置へ近づくときに、装飾部材１２３が進退部材１２１と一体に移動するので、進退部材１２１と装飾部材１２３の動作をダイナミックに見せることが可能となる。
【００４６】
ところで、図８に示されるように、装飾部材１２３の装飾は、横方向で対をなすように形成されている。具体的には、中央側装飾構成体１２３Ｃのうち同図の一点鎖線より左側の部位は、一点鎖線より右側の部位を概ね左右逆にした形状になっていて、該右側の部位より若干大きくなっている。左側装飾構成体１２３Ｌは、右側装飾構成体１２３Ｒの形状を概ね左右逆にした形状になっていて、右側装飾構成体１２３Ｒより若干大きくなっている。また、進退部材１２１が第２進退位置に配置されたときに露出する回動ベース１１１の装飾プレート１１３の装飾も、横方向で対をなすように形成されている。装飾プレート１１３の装飾についても、同図の一点鎖線より左側の部位は、一点鎖線より右側の部位を概ね左右逆にした形状になっていて、該右側の部位より若干大きくなっている。
【００４７】
このように、本実施形態の遊技機では、回動ベース１１１の装飾プレート１１３及び進退部材１２１の装飾部材１２３が横方向で対をなす形状に形成されていて、装飾プレート１１３及び装飾部材１２３のうち回動軸部１１１Ｊから遠い側の部位（具体的には、図８の一点鎖線より左側の部位）が、装飾プレート１１３及び装飾部材１２３のうち回動軸部１１１Ｊに近い側の部位（具体的には、図８の一点鎖線より右側の部位）より若干大きく形成されている。この構成によれば、回動ベース１１１及び進退部材１２１が回動軸部１１１Ｊを中心にして回動したときに、回動ベース１１１及び進退部材１２１のうち回動軸部１１１Ｊから遠い側の部位が近づいてくるように見せることが可能となり、回動ベース１１１と進退部材１２１に遠近感を持たせることが可能となる。
【００４８】
［第２可動役物装置２００］
図１０に示されるように、第２可動役物装置２００は、第１可動部２１０と第２可動部２２０を有する。第１可動部２１０は、横並びに配置された複数の第１可動体２１１を備えている。
【００４９】
図１０（Ａ）→図１０（Ｂ）→図１０（Ｃ）の変化に示されるように、第１可動部２１０は、上下方向に直動する横長の第１支持ベース２１５を有している。また、図１０（Ｂ）から図１０（Ｃ）への変化に示されるように、複数の第１可動体２１１は、第１支持ベース２１５に支持されて、第１支持ベース２１５の前側で前後方向に延びる軸を中心に回転可能となっている。
【００５０】
本実施形態の遊技機１０では、第１可動体２１１が２つ設けられていて、左側の第１可動体２１１は、第１支持ベース２１５の左側部に支持され、右側の第１可動体２１１は、第１支持ベース２１５の右側部に支持されている。具体的には、左側の第１可動体２１１は、横辺部と該横辺部の左端部から下側へ延びる縦辺部とを有し、横辺部と縦辺部の交差部分に回動軸部２１１Ｊを備える。右側の第１可動体２１１は、横辺部と該横辺部の右端部から下側へ延びる縦辺部とを有し、横辺部と縦辺部の交差部分に回動軸部２１１Ｊを備える。以下では、左側の第１可動体２１１と右側の第１可動体２１１を、第１左側可動体２１１Ｌと第１右側可動体２１１Ｒと称して、適宜、区別することにする。
【００５１】
図１１（Ａ）に示されるように、第１可動体２１１は、後側構成体２１２の前面側に前側構成体２１３を重ねて固定してなる。後側構成体２１２は、第１支持ベース２１５に前側から重ねられる本体部２１２Ｈと、本体部２１２Ｈの下端部から後側に突出して第１支持ベース２１５を下側から覆う下端突壁２１２Ｋと、を備えている。また、前側構成体２１３は、後側構成体２１２の本体部２１２Ｈの前面に固定された本体部２１３Ｈと、後側構成体２１２の下端突壁２１２Ｋの下面に固定されて本体部２１３Ｈの下端部に連絡した下端カバー部２１３Ｋと、を備えている。前側構成体２１３の本体部２１３Ｈは、後側構成体２１２の本体部２１２Ｈよりも上側に飛び出ている。なお、本体部２１３Ｈの前面には装飾が施されている。
【００５２】
第１支持ベース２１５は、後側構成体２１２の本体部２１２Ｈに後側から重ねられて後側構成体２１２を回転自在に支持する本体部２１５Ｈと、本体部２１５Ｈの上端から前側に迫り出した上端突壁２１５Ｊと、を備えている。詳細には、本体部２１５Ｈは、後側構成体２１２の本体部２１２Ｈより上側に飛び出して前側構成体２１３の本体部２１３Ｈに後側から重ねられる。上端突壁２１５Ｊは、前側構成体２１３の本体部２１３Ｈに突き合わされて、後側構成壁２１２の本体部２１２Ｈに上側から対向している。
【００５３】
図１３（Ａ）及び図１３（Ｂ）に示されるように、第１左側可動体２１１Ｌと第１右側可動体２１１Ｒは、回転自在に連結されている。そして、第１左側可動体２１１Ｌと第１右側可動体２１１Ｒとは、直線状に配置されて前側構成体２１３同士が繋がった直線状態（図１３（Ａ）参照）と、下側が凸となる折れ線状に配置されて前側構成体２１３同士が分離した折曲状態（図１３（Ｂ）参照）と、に変化する。
【００５４】
具体的には、本実施形態では、第１右側可動体２１１Ｒにおいて、後側構成体２１２が前側構成体２１３より横長に形成されていて、後側構成体２１２と前側構成体２１３が右端を揃えて配置されている。後側構成体２１２のうち前側構成体２１３からはみ出た左端部には、左上がりに延びる長孔２１４Ｎが形成されている。また、第１左側可動体２１１Ｌにおいては、前側構成体２１３が後側構成体２１２より横長に形成されていて、後側構成体２１２と前側構成体２１３が左端を揃えて配置されている。前側構成体２１３のうち後側構成体２１２からはみ出た右端部の後面には、長孔２１４Ｎと係合する係合突起２１４Ｔが突設されている。そして、長孔２１４Ｎと係合突起２１４Ｔの係合によって、第１左側可動体２１１Ｌと第１右側可動体２１１Ｒが回動自在に連結されている。なお、長孔２１４Ｎが第１左側可動体２１１Ｌに形成され、係合突起２１４Ｔが第１右側可動体２１１Ｒに形成されてもよい。
【００５５】
第１支持ベース２１５は、図１０（Ａ）に示される第１上端位置と図１０（Ｃ）に示される第１下端位置との間を直動可能に構成されている。図１０（Ａ）に示されるように、第１支持ベース２１５は、第１上端位置に配置された状態で、機構枠１７の上辺部１７Ｊに前側から重ねられる。このとき、第１左側可動体２１１Ｌと第１右側可動体２１１Ｒの各横辺部は、第１支持ベース２１５に沿って配置され、第１左側可動体２１１Ｌと第１右側可動体２１１Ｒの各縦辺部が機構枠１７の側辺部１７Ｓに重ねられる。
【００５６】
図１０（Ｂ）に示されるように、第１支持ベース２１５が第１上端位置から下方へ移動すると、第１支持ベース２１５が機構枠１７の内側に配置される。このとき、図１６（Ａ）に示されるように、第１可動部２１０が表示画面１３Ｇに前側から重なる。
【００５７】
図１２に示されるように、第１支持ベース２１５は、機構枠１７の上辺部１７Ｊに取り付けられた第１駆動機構２３０によって駆動される。第１駆動機構２３０は、駆動源２３１と、駆動源２３１により駆動される回動レバー２３４と、を備えている。本実施形態では、回動レバー２３４は、横方向に対をなして設けられている。１対の回動レバー２３４，２３４は、回動軸部２３４Ｊを突き合わせるように配置されて、互いに逆方向に回動する。１対の回動レバー２３４，２３４のうち一方の回動レバー２３４の中間部には、回動半径方向に延びた中間長孔２３３が形成されている。この中間長孔２３３には、駆動源２３１により駆動される中継ギア２３２に突設された回転突部２３２Ｔが係合している。また、１対の回動レバー２３４，２３４のそれぞれの先端部は、第１支持ベース２１５の左右両端寄り部分に後側から重ねられる。具体的には、第１支持ベース２１５には、上端突壁２１５Ｊの両側部から上側に突出する１対の突片２１５Ｔ，２１５Ｔが設けられ、これら１対の突片２１５Ｔ，２１５Ｔに１対の回動レバー２３４，２３４の先端部が重ねられる。突片２１５Ｔには、横方向に延びる長孔２３５が形成されていて、この長孔２３５に、回動レバー２３４の先端部に突設された先端突部２３６が係合している。中継ギア２３２が駆動されると、１対の回動レバー２３４，２３４が回動し、第１支持ベース２１５が機構枠１７に対して上下方向に直動する。
【００５８】
ここで、図１２及び図１３に示されるように、機構枠１７の側辺部１７Ｓの前面側には、該側辺部１７Ｓとの間に、第１支持ベース２１５及び第１可動体２１１（即ち、第１可動部２１０）の側部を挟む挟み部２３７が取り付けられている。これにより、第１支持ベース２１５の前後方向の移動が規制されている。また、図１２に示されるように、機構枠１７の右側の側辺部１７Ｓには、上下方向に延びるガイドシャフト２３８が固定され、第１支持ベース２１５の右端部には、ガイドシャフト２３８が挿通される図示しないシャフト挿通孔が設けられている。これにより、第１支持ベース２１５の直動の安定化が図られている。
【００５９】
図１０（Ａ）〜図１０（Ｃ）に示されるように、第１可動部２１０では、第１支持ベース２１５の移動に伴って、第１左側可動体２１１Ｌ及び第１右側可動体２１１Ｒが直線状態（図１０（Ｂ）に示す状態）と折曲状態（図１０（Ｃ）に示す状態）とに変化する。以下、第１可動部２１０の動作機構について説明する。
【００６０】
図１２に示されるように、機構枠１７の左側の側辺部１７Ｓに取り付けられた挟み部２３７には、挟み部２３７を前後に貫通するガイド孔２５１が形成されている。ガイド孔２５１は、上下方向に直線状に延びる鉛直部２５１Ａと、鉛直部２５１の下端から右下方へ直線状に延びる誘導傾斜部２５１Ｂと、からなる。図１３に示されるように、ガイド孔２５１には、第１左側可動体２１１Ｌに設けられたガイド突部２５２が係合している。詳細には、第１左側可動体２１１Ｌは、その回動軸部２１１Ｊから左上側に張り出して先端部がガイド孔２５１に重ねられる左側張出片２５３を有し、ガイド突部２５２は、左側張出片２５３の先端部から前側に突出している。
【００６１】
また、図１２に示されるように、機構枠１７の右側の側辺部１７Ｓに取り付けられた挟み部２３７の前面には、左側を段付き状に陥没させる陥没部２５６が形成されている。陥没部２５６の内面のうち左側を向く部分は、前側から見て上下方向に直線状に延びる鉛直面２５６Ａと、鉛直面２５６Ａの下端から左下方へ直線状に延びる誘導傾斜面２５６Ｂと、からなる。図１３に示されるように、陥没部２５６には、第１右側可動体２１１Ｒに設けられた摺動軸部２５７が受容されている。詳細には、第１右側可動体２１１Ｒは、その回動軸部２１１Ｊから右上側に張り出して先端部が陥没部２５６内に突入した右側張出片２５８を有し、摺動軸部２５７は、右側張出片２５８の先端部に突設されている。
【００６２】
図１０（Ａ）から図１０（Ｂ）への変化に示されるように、第１支持ベース２１５が第１上端位置から第１下端位置側へ移動すると、第１左側可動体２１１Ｌのガイド突部２５２がガイド孔２５１の鉛直部２５１Ａに沿って移動し、第１右側可動体２１１Ｒの摺動軸部２５７が陥没部２５６の鉛直面２５６Ａに沿って移動する。このとき、第１左側可動体２１１Ｌ及び第１右側可動体２１１Ｒは直線状態に保持されている。
【００６３】
図１０（Ｂ）から図１０（Ｃ）への変化に示されるように、第１支持ベース２１５が第１下端位置に近づくと、図１３（Ａ）及び図１３（Ｂ）に拡大して示されるように、第１左側可動体２１１Ｌのガイド突部２５２がガイド孔２５１の誘導傾斜部２５１Ｂ内を移動する。すると、ガイド突部２５２が誘導傾斜部２５１Ｂの内面に押されて、第１左側可動体２１１Ｌがその回動軸部２１１Ｊを中心に時計方向に回動する。また、このとき、第１右側可動体２１１Ｒの摺動軸部２５７が陥没部２５６の誘導傾斜面２５６Ｂに摺動する。すると、摺動軸部２５７が誘導傾斜面２５６Ｂに押されて、第１右側可動体２１１Ｒがその回動軸部２１１Ｊを中心に反時計方向に回動する。その結果、第１左側可動体２１１Ｌ及び第１右側可動体２１１Ｒが、直線状態から折曲状態に変化する。
【００６４】
このように、第１可動部２１０は、第１支持ベース２１５の上下方向の移動によって、全体が上下に移動する。そして、第１支持ベース２１５が第１上端位置に配置されると、第１可動部２１０は、複数の第１可動体２１１の前側構成体２１３が左右方向に沿って直線状に並べられた連結状態となり（図１０（Ａ）参照）、第１支持ベース２１５が第１下端位置に配置されると、第１可動部２１０は、複数の第１可動体２１１の前側構成体２１３がバラバラに分断された分断状態となる。
【００６５】
図１３（Ｂ）から図１３（Ａ）への変化に示されるように、第１支持ベース２１５が第１下端位置から第１上端位置側へ移動すると、第１左側可動体２１１Ｌのガイド突部２５２が誘導傾斜部２５１Ｂの内面に押されて、第１左側可動体２１１Ｌがその回動軸部２１１Ｊを中心に反時計方向に回動する。ここで、第１左側可動体２１１Ｌと第１右側可動体２１１Ｒの横辺部同士は回転自在に連結されているので、第１左側可動体２１１Ｌが反時計方向に回動すると、第１右側可動体２１１Ｒが時計方向に回動する。その結果、第１左側可動体２１Ｌ及び第１右側可動体２１１Ｒが、折曲状態から直線状態に変化する。なお、第１支持ベース２１５の左端部には、第１左側可動体２１１Ｌを反時計方向に付勢する付勢バネ２５４が備えられ、第１支持ベース２１５の右端部には、第１右側可動体２１１Ｒを時計方向に付勢する付勢バネ２５９が備えられている。
【００６６】
図１０に示されるように、第２可動部２２０は、第１可動部２１０に下方から対向し、横並びに配置された複数の第２可動体２２１を備えている。
【００６７】
図１０（Ａ）→図１０（Ｂ）→図１０（Ｃ）の変化に示されるように、第２可動部２２０は、上下方向に直動する横長の第２支持ベース２２５を有している。また、図１０（Ｂ）から図１０（Ｃ）への変化に示されるように、複数の第２可動体２２１は、第２支持ベース２２５に支持されて、第２支持ベース２２５の前側で前後方向に延びる軸を中心に回転可能となっている。
【００６８】
本実施形態の遊技機１０では、第２可動体２２１が３つ設けられていて、左側の第２可動体２２１は、第２支持ベース２２５の左側部に支持され、中央側の第２可動体２２１は、第２支持ベース２２５の左右中央部に支持され、右側の第２可動体２２１は、第２支持ベース２２５の右側部に支持されている。具体的には、左側の第２可動体２２１は、横辺部と該横辺部の左端部から上側へ延びる縦辺部とを有し、横辺部と縦辺部の交差部分に回動軸部２２１Ｊを備える。中央側の第２可動体２２１は、横辺部のみを有し、該横辺部の右側部に回動軸部２２１Ｊを備える。右側の第２可動体２２１は、横辺部と該横辺部の右端部から上側へ延びる縦辺部とを有し、横辺部と縦辺部の交差部分に回動軸部２２１Ｊを備える。以下では、左側の第２可動体２２１と中央側の第２可動体２２１と右側の第２可動体２２１を、第２左側可動体２２１Ｌと第２中央可動体２２１Ｃと第２右側可動体２２１Ｒと称して、適宜、区別することにする。
【００６９】
図１１（Ｂ）に示されるように、第２可動体２２１は、後側構成体２２２の前面側に前側構成体２２３を重ねて固定してなる。後側構成体２２２は、第２支持ベース２２５に前側から重ねられる本体部２２２Ｈと、本体部２２２Ｈの上端部から後側に突出して第２支持ベース２２５を上側から覆う上端突壁２２２Ｊと、を備えている。また、前側構成体２２３は、後側構成体２２２の本体部２２２Ｈの前面に固定された本体部２２３Ｈと、後側構成体２２２の上端突壁２２２Ｊの上面に固定されて本体部２２３Ｈの上端部に連絡した上端カバー部２２３Ｊと、を備えている。前側構成体２２３の本体部２２３Ｈは、後側構成体２２２の本体部２２２Ｈよりも下側に飛び出ている。なお、本体部２２３Ｈの前面には装飾が施されている。
【００７０】
第２支持ベース２２５は、後側構成体２２２の本体部２２２Ｈに後側から重ねられて後側構成体２２２を回転自在に支持する本体部２２５Ｈと、本体部２２５Ｈの下端から前側に迫り出した下端突壁２２５Ｋと、を備えている。詳細には、本体部２２５Ｈは、後側構成体２２２の本体部２２２Ｈより下側に飛び出して前側構成体２２３の本体部２２３Ｈに後側から重ねられる。下端突壁２２５Ｋは、前側構成体２２３の本体部２２３Ｈに突き合わされて、後側構成壁２２２の本体部２２２Ｈに下側から対向している。
【００７１】
図１５（Ａ）及び図１５（Ｂ）に示されるように、第２左側可動体２２１Ｌと第２中央可動体２２１Ｃは、回転自在に連結されている。そして、第２左側可動体２２１Ｌと第２中央可動体２２１Ｃとは、直線状に配置されて前側構成体２２３同士が繋がった直線状態（図１５（Ａ）参照）と、上側が凸となる折れ線状に配置されて前側構成体２２３同士が分離した折曲状態（図１５（Ｂ）参照）と、に変化する。
【００７２】
具体的には、本実施形態では、第２左側可動体２２１Ｌにおいて、後側構成体２２２が前側構成体２２３より横長に形成されていて、後側構成体２２２と前側構成体２２３が左端を揃えて配置されている。後側構成体２２２のうち前側構成体２２３からはみ出た右端部には、右下がりに延びる長孔２２４Ｎが形成されている。また、第２中央可動体２２１Ｃにおいて、前側構成体２２３が後側構成体２２２より横長に形成されていて、後側構成体２２２と前側構成体２２３が右端を揃えて配置されている。前側構成体２２３のうち後側構成体２２２からはみ出た左端部の後面には、長孔２２４Ｎと係合する係合突起２２４Ｔが突設されている。そして、長孔２２４Ｎと係合突起２２４Ｔの係合によって、第２左側可動体２２１Ｌと第２中央可動体２２１Ｃが回動自在に連結されている。なお、長孔２２４Ｎが第２中央可動体２２１Ｃに形成され、係合突起２２４Ｔが第２左側可動体２２１Ｌに形成されてもよい。
【００７３】
第２支持ベース２２５は、図１０（Ａ）に示される第２下端位置と図１０（Ｃ）に示される第２上端位置との間を直動可能に構成されている。図１０（Ａ）に示されるように、第２支持ベース２２５は、第２下端位置に配置された状態で、機構枠１７の下辺部１７Ｋに前側から重ねられる。このとき、第２左側可動体２２１Ｌ、第２中央可動体２２１Ｃ及び第２右側可動体２２１Ｒの各横辺部は、第２支持ベース２２５に沿って配置され、第２左側可動体２２１Ｌと第２右側可動体２２１Ｒの各縦辺部が機構枠１７の側辺部１７Ｓに重ねられる。なお、第２支持ベース２２５及び第２可動体２２１（即ち、第２可動部２２０）の側部は、機構枠１７の側辺部１７Ｓと上述した挟み部２３７との間に挟まれていて、これにより、第２支持ベース２２５の前後方向の移動が規制されている。
【００７４】
図１０（Ｂ）に示されるように、第２支持ベース２２５が第２下端位置から上方へ移動すると、第２支持ベース２２５が機構枠１７の内側に配置される。このとき、図１６（Ａ）に示されるように、第２可動部２２０が表示画面１３Ｇに前側から重なる。
【００７５】
図１４に示されるように、第２支持ベース２２５は、機構枠１７の各側辺部１７Ｓに取り付けられた第２駆動機構２４０によって駆動される。第２駆動機構２４０は、駆動源２４１と、駆動源２４１によって駆動されるピニオン２４２と、を備える。駆動源２４１は、上述した挟み部２７３の前面に固定され、駆動源２４１の回転出力軸は、挟み部２７３を前後に貫通する。ピニオン２４２は、側辺部１７Ｓと挟み部２７３との間で、駆動源２４１の回転出力軸に取り付けられている。ピニオン２４２には、第２支持ベース２２５の各側部に設けられたラック２４４が噛合する。具体的には、第２支持ベース２２５の両側部には、上方へ直線状に延びる１対のサイド突壁２４３，２４３が設けられていて、それら１対のサイド突壁２４３，２４３の互いの対向面にラック２４４，２４４が形成されている。また、機構枠１７の側辺部１７Ｓには、上下方向に延びる長孔２４５Ｎが形成されていて、その長孔２４５Ｎにサイド突壁２４３から後側に突出する突部２４５Ｔが係合することで、第２支持ベース２２５の移動の安定化が図られている。
【００７６】
図１０（Ａ）〜図１０（Ｃ）に示されるように、第２可動部２２０では、第２支持ベース２２５の移動に伴って、第２左側可動体２２１Ｌ及び第２中央可動体２１１Ｃが直線状態（図１０（Ｂ）に示す状態）と折曲状態（図１０（Ｃ）に示す状態）とに変化し、第２右側可動体２２１Ｒが回動する。以下、第２可動部２２０の動作機構について説明する。
【００７７】
図１５に示されるように、機構枠１７の１対の側辺部１７Ｓ，１７Ｓに取り付けられた１対の挟み部２３７，２３７の互いの対向面には、１対のガイド面２６１，２６１が形成されている。各ガイド面２６１は、前側から見て上下方向に直線状に延びる鉛直面２６１Ａと、鉛直面２６１Ａの上端から左右中央側へ直線状に延びる誘導傾斜面２６１Ｂと、からなる。左側のガイド面２６１の誘導傾斜面２６１Ｂには、第２左側可動体２２１Ｌに設けられた摺動突部２６２が下方から対向する。右側のガイド面２６１の誘導傾斜面２６１Ｂには、第２右側可動体２２１Ｒに設けられた摺動突部２６２が下方から対向する。なお、第２左側可動体２２１Ｌにおいては、回動軸部２２１Ｊから左下に張り出した張出片２６３に摺動突部２６２が突設されている。また、第２右側可動体２２１Ｒにおいては、回動軸部２２１Ｊから右下に張り出した張出片２６３に摺動突部２６２が突設されている。
【００７８】
図１０（Ａ）から図１０（Ｂ）への変化に示されるように、第２支持ベース２２５が第２下端位置から第２上端位置側へ移動すると、第２左側可動体２２１Ｌの摺動突部２６２が左側の挟み部２７３におけるガイド面２６１の鉛直面２６１Ａに沿って移動し、第２右側可動体２２１Ｒの摺動軸部２６２が右側の挟み部２７３におけるガイド面２６１の鉛直面２６１Ａに沿って移動する。このとき、第２左側可動体２２１Ｌ及び第２中央可動体２２１Ｃは直線状態に保持され、第２右側可動体２２１Ｒの横辺部は第２支持ベース２２５に沿って水平に配置されている。
【００７９】
図１０（Ｂ）から図１０（Ｃ）への変化に示されるように、第２支持ベース２２５が第２上端位置に近づくと、図１５（Ａ）及び図１５（Ｂ）に拡大して示されるように、第２左側可動体２２１Ｌの摺動突部２６２が左側の挟み部２７３におけるガイド面２６１の誘導傾斜面２６１Ｂに摺動する。すると、該摺動軸部２６２が誘導傾斜面２６１Ｂに押されて、第２左側可動体２２１Ｌがその回動軸部２２１Ｊを中心に反時計方向に回動する。第２左側可動体２２１Ｌが回動すると、第２中央可動体２２１Ｃの左側部が持ち上げられ、第２左側可動体２２１Ｌ及び第２中央可動体２２１Ｃが、直線状態から折曲状態に変化する。
【００８０】
また、第２支持ベース２２５が第２上端位置に近づくと、第２右側可動体２２１Ｒの摺動軸部２６２が右側の挟み部２７３におけるガイド面２６１の誘導傾斜面２６１Ｂに摺動する。すると、該摺動軸部２６２が誘導傾斜面２６１Ｂに押されて、第２右側可動体２２１Ｒがその回動軸部２２１Ｊを中心に時計方向に回動する。なお、第２支持ベース２２５（詳細には、本体部２２５Ｈ）には、第２右側可動体２２１Ｒの回動軸部２２１Ｊを中心とした円弧状をなす支持孔２６４Ａが形成されている。そして、この支持孔２６４Ａに、第２右側可動体２２１Ｒの横辺部に設けられた支持突部２６４Ｔが係合することで、第２右側可動体２２１Ｒの回動の安定化が図られている。
【００８１】
このように、第２可動部２２０は、第２支持ベース２２５の上下方向の移動によって、全体が上下に移動する。そして、第２支持ベース２２５が第２下端位置に配置されると、第２可動部２２０は、複数の第２可動体２２１の前側構成体２２３が左右方向に沿って直線状に並べられた連結状態となり（図１０（Ａ）参照）、第２支持ベース２２５が第２上端位置に配置されると、第２可動部２２０は、複数の第２可動体２２１の前側構成体２２３がバラバラに分断された分断状態となる。
【００８２】
ところで、第２左側可動体２２１Ｌは、自重によって時計方向に付勢され、第２右側可動体２２１Ｒは、自重によって反時計方向に付勢されている。従って、第２左側可動体２２１Ｌと第２右側可動体２２１Ｒの摺動軸部２６２がガイド面２６１の誘導傾斜面２６１Ｂと当接した状態では、第２左側可動体２２１Ｌと第２右側可動体２２１Ｒは、付勢力に抗した力を誘導傾斜面２６１Ｂから受けていることになる。従って、図１５（Ｂ）から図１５（Ａ）への変化に示されるように、第２支持ベース２２５が第２上端位置から第２下端位置側へ移動すると、第２左側可動体２２１Ｌと第２右側可動体２２１Ｒの摺動軸部２６２が誘導傾斜面２６１Ｂから離れるように移動することとなり、第２左側可動体２２１Ｌが自重によって時計方向に回動し、第２右側可動体２２１Ｒが自重によって反時計方向に回動する。ここで、第２左側可動体２２１Ｌと第２中央可動体２２１Ｃの横辺部同士は回転自在に連結されているので、第２左側可動体２２１Ｌが時計方向に回動すると、第２中央可動体２２１Ｃが反時計方向に回動する。その結果、第２左側可動体２２１Ｌ及び第２中央可動体２２１Ｃが、折曲状態から直線状態に変化する。
【００８３】
本実施形態の遊技機１０では、図１６（Ａ）〜図１６（Ｃ）の流れに示されるように、第２可動役物装置２００の動作に上述した第１可動役物装置１００の動作が複合した複合役物演出が行われてもよい。具体的には、複合役物演出では、まず、図１６（Ａ）に示されるように、第２可動役物装置２００において、第１可動部２１０と第２可動部２２０が互いに接近する。この接近は、図１０（Ａ）から図１０（Ｂ）への流れで示した第１支持ベース２１５と第２支持ベース２２５の移動により行われる。
【００８４】
第１可動部２１０と第２可動部２２０が接近すると、第１可動部２１０及び第２可動部２２０が表示画面１３Ｇの前側に配置される。その結果、表示画面１３Ｇのうち第１可動部２１０と第２可動部２２０の間から視認可能な領域が上下に狭まる。このとき、表示画面１３Ｇにおいて第１可動部２１０と第２可動部２２０の間から視認可能な領域に表示される画像が、第１可動部２１０と第２可動部２２０の接近に伴って上下に圧縮される。また、表示画面１３Ｇにおいて第１可動部２１０の上側から視認可能な領域と第２可動部２２０の下側から視認可能な領域が暗くなる。
【００８５】
図１６（Ａ）から図１６（Ｂ）の流れに示されるように、第１可動部２１０と第２可動部２２０がさらに接近すると、第１可動部２１０と第２可動部２２０が連結状態から分断状態に変化する。このとき、表示画面１３Ｇにおいて第１可動部２１０と第２可動部２２０の間から視認可能な領域には、その全体に亀裂が入った画像が表示される。このように、本実施形態では、第１可動部２１０と第２可動部２２０の動作と表示画面１３Ｇの画像が連動することで、表示画面１３Ｇが割れるように見せることが可能となる。
【００８６】
図１６（Ｂ）から図１６（Ｃ）の流れに示されるように、複合役物演出では、さらに、第１可動役物装置１００において、回動ベース１１１が第１回動位置から第２回動位置へと回動すると共に、進退部材１２１が第１進退位置から第２進退位置へと移動する。すると、第１可動役物装置１００の移動演出部１１０が第２可動役物装置２００の第１可動部２１０と第２可動部２２０の前側に配置される。ここで、回動ベース１１１の装飾プレート１１３と進退部材１２１の装飾部材１２３には、例えば、獣や化け物の顔の装飾が施されていて、進退部材１２１から突出する突出部材１３０は、牙を象った形状となっている。これにより、第１可動役物装置１００の移動演出部１１０が模した獣や化け物が表示画面１３Ｇを噛み砕いているように見せることが可能となる。
【００８７】
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００８８】
＜特徴Ａ群＞
以下の特徴Ａ群は、「可動役物装置を備えた」遊技機に関し、「特許文献Ａ（特開２００８−１０４６３７号（段落［０１３１］〜［０１３２］、図１１、図１５））の遊技機では、可動役物装置が、前後方向に沿った回動軸を中心として回動可能な回動部材を備えている。」という背景技術について、「特許文献Ａの遊技機では、可動役物装置の動作が単純で興趣に欠ける。」という課題をもってなされたものである。
【００８９】
［特徴Ａ１］
可動役物装置（第１可動役物装置１００）を備えた遊技機（遊技機１０）において、
前記可動役物装置は、
前後方向に沿った回動軸（回動軸部１１１Ｊ）を中心として回動可能に支持されて第１回動位置（図４（Ａ）に示される回動ベース１１１の位置）と第２回動位置（図４（Ｂ）に示される回動ベース１１１の位置）の間を移動可能な回動部材（回動ベース１１１）と、
前記回動部材に搭載されて前記回動部材の回動方向に進退可能であって前記第１回動位置側の第１進退位置（図６（Ａ）に示される進退部材１２１の位置）と前記第２回動位置側の第２進退位置（図６（Ｂ）に示される進退部材１２１の位置）との間を移動可能な進退部材（進退部材１２１）と、を有する、遊技機。
【００９０】
本特徴に示す構成では、回動部材が第１回動位置から第２回動位置へ回動するときに、その回動部材に搭載された進退部材がさらに回動部材の回動方向に移動可能となる。本特徴の構成によれば、回動部材と進退部材の動きの組合せにより、可動役物装置の動作に躍動感を持たせることが可能となり、可動役物装置の動作の趣向性向上が図られる。
【００９１】
［特徴Ａ２］
前記可動役物装置は、
前記進退部材に搭載されて前記進退部材の進退方向に沿って移動可能に支持されると共に、前記進退部材に重ねられる退避位置（図６（Ａ）に示される突出部材１３０の位置）と前記進退部材から前記第２進退位置側に突出する突出位置（図６（Ｂ）に示される突出部材１３０の位置）との間を移動可能な突出部材（突出部材１３０）をさらに有し、
前記突出部材は、前記進退部材の前記第１進退位置から前記第２進退位置への移動に伴って前記退避位置から前記突出位置に移動する、特徴Ａ１に記載の遊技機。
【００９２】
本特徴に示す構成では、進退部材が第２進退位置に配置されたときに、進退部材に搭載された突出部材が進退部材から第２進退位置側に突出するので、可動役物装置の動作に一層の躍動感を持たせることが可能となり、可動役物装置の動作の趣向性を更なる向上が図られる。
【００９３】
［特徴Ａ３］
前記突出部材は、前記退避位置に配置されたときに前記進退部材に前側を覆われる、特徴Ａ２に記載の遊技機。
【００９４】
本特徴に示す構成では、突出部材は、進退部材から突出したときに遊技者に視認可能となるので、遊技者に意外性を付与可能となる。
【００９５】
［特徴Ａ４］
前記突出部材は、前記進退部材に回転自在に支持され、その回転中心（回動軸部１３０ＬＪ，１３０ＲＪ）から離れた部位（係合突部１３５，１３５）が前記進退部材の移動に伴って前記回動部材に摺接することで回転するように構成された、特徴Ａ２又はＡ３に記載の遊技機。
【００９６】
本特徴に示す構成によれば、突出部材用の駆動源を進退部材に設けることなく進退部材の移動に伴って突出部材を移動させることが可能となる。
【００９７】
［特徴Ａ５］
前記突出位置は、前記進退部材がその移動ストロークの途中位置より前記第２進退位置側を移動するときに、前記進退部材と一体になって前記回動部材の回動方向に移動する、特徴Ａ４に記載の遊技機。
【００９８】
本特徴に示す構成では、進退部材が第２進退位置へ近づくときに、進退部材と突出部材が回動部材から一体的に突出するので、進退部材と突出部材の動作をダイナミックに見せることが可能となる。
【００９９】
［特徴Ａ６］
前記回動部材の前記回動軸は、前記回動部材において、前記第２回動位置側であって前記回動部材の回動方向と直交する方向の片側に寄せて配置されている、特徴Ａ１乃至５のうち何れか１に記載の遊技機。
【０１００】
本特徴に示す構成によれば、第２回動位置へと向かう回動部材を傾くように見せることが可能となる。
【０１０１】
［特徴Ａ７］
前記回動部材及び前記進退部材には、前記回動部材の回動方向と直交する方向で対をなす１対の装飾部（装飾プレート１１３及び装飾部材１２３における図８に示される一点鎖線より左側の部位と、同図の一点鎖線より右側の部位）が設けられ、
前記１対の装飾部のうち前記回動部材の前記回動軸から遠い側の装飾部（図８に示される一点鎖線より左側の部位）は、該回動軸から近い側の装飾部（図８に示される一点鎖線より右側の部位）より大きく形成されている、特徴Ａ６に記載の遊技機。
【０１０２】
本特徴に示す構成では、回動部材と進退部材に設けられた１対の装飾部が回動部材の回動軸から遠い方が大きく形成されているので、回動部材と進退部材に遠近感を持たせることが可能となる。
【０１０３】
［特徴Ａ８］
可動役物装置（第１可動役物装置１００）を備えた遊技機（遊技機１０）おいて、
前記可動役物装置は、
第１装飾部（装飾プレート１１３）を備えると共に、前後方向に沿った回動軸（回動軸部１１１Ｊ）を中心として回動可能に支持されて第１回動位置（図４（Ａ）に示される回動ベース１１１の位置）と第２回動位置（図４（Ｂ）に示される回動ベース１１１の位置）の間を移動可能な回動部材（回動ベース１１１）と、
第２装飾部（装飾部材１２３）を備えると共に、前記回動部材に搭載されて前記回動部材の回動方向に進退可能であって前記第１回動位置側の第１進退位置（図６（Ａ）に示される進退部材１２１の位置）と前記第２回動位置側の第２進退位置（図６（Ｂ）に示される進退部材１２１の位置）との間を移動可能な進退部材（進退部材１２１）と、を有し、
前記回動部材に備えた前記第１装飾部は、前記進退部材が前記第１進退位置に配置されたときに前記進退部材の前記第２装飾部に前側を覆われ、前記進退部材が前記第２進退位置に配置されたときに前記進退部材の外側に露出する、遊技機。
【０１０４】
本特徴に示す構成では、回動部材が第１回動位置から第２回動位置へ回動するときに、その回動部材に搭載された進退部材がさらに回動部材の回動方向に移動可能となる。本特徴の構成によれば、回動部材と進退部材の動きの組合せにより、可動役物装置の動作に躍動感を持たせることが可能となり、可動役物装置の動作の趣向性向上が図られる。しかも、本特徴の構成では、進退部材が第２進退位置へ移動すると、回動部材に備えた第１装飾部が露出するので、遊技者に意外性を与えることができると共に、可動役物装置の動作を遊技者に認識させ易くなる。
【０１０５】
［特徴Ａ９］
前記第２装飾部は、前記第２進退位置側を中心（回転軸部１２３ＬＪ，１２３ＲＪ）として扇状に並べられた複数の装飾部構成体（左側装飾構成体１２３Ｌ、中央側装飾構成体１２３Ｃ及び右側装飾構成体１２３Ｒ）からなり、
前記複数の装飾部構成体は、前記進退部材が前記第１進退位置から前記第２進退位置へ向かうにつれて前記第１進退位置側が互いに近づくように寄せられる、特徴Ａ８に記載の遊技機。
【０１０６】
本特徴に示す構成では、進退部材が第２進退位置へ向かうにつれて第２装飾部が窄まるように見せることで、進退部材の動作自体にも躍動感を持たせることが可能となる。
【０１０７】
［特徴Ａ１０］
可動役物装置（第１可動役物装置１００）を備えた遊技機（遊技機１０）において、
前記可動役物装置は、
前後方向に沿った回動軸（回動軸部１１１Ｊ）を中心として回動可能に支持され、その回動に伴って回動方向に伸縮可能な移動演出部（移動演出部１１０）を有する、遊技機。
【０１０８】
本特徴に示す構成では、回動と伸縮の組合せにより、可動役物装置の動作に躍動感を持たせることが可能となり、可動役物装置の動作の趣向性向上が図られる。
【０１０９】
なお、特徴Ａ８又はＡ９に示す構成に、特徴Ａ３〜Ａ７に示す構成が組み合わされてもよい。また、特徴Ａ１０に示す構成に、特徴Ａ１〜Ａ９に示す構成が組み合わされてもよい。
【０１１０】
［特徴Ａ群に含まれる他の実施形態］
特徴Ａ群には、上記実施形態の他に、例えば、以下に示される実施形態も含まれる。
【０１１１】
（ａ１）進退部材１２１は、回動ベース１１１が第２回動位置へ向かうときに、第１回動位置側へ移動してもよい。
【０１１２】
（ａ２）特徴Ａ１，Ａ８〜Ａ１０に含まれる形態では、突出部材１３０を備えない構成であってもよい。
【０１１３】
（ａ３）突出部材１３０は、進退部材１２１に直動自在に支持されて、進退部材１２１に対して直動して突出位置に配置される構成であってもよい。具体的には、図１７（Ａ）及び１７（Ｂ）に示されるように、突出部材１３０を進退部材１２１に直動可能に支持すると共に、上記実施形態における直動駆動機構１１５の回動レバー１１７に替えて、回動レバー１１１を先端側に長くした回動レバー１１７Ｖを備えた構成とすればよい。回動レバー１１７Ｖは、長手方向の中間部に第１長孔１１８Ａを備え、先端部に第２長孔１１８Ｂを備えている。そして、第１長孔１１８Ａにスライド部材１２２のガイド突部１２２Ｇが係合し、第２長孔１１８Ｂに突出部材１３０のガイド突部１３０Ｇが係合している。また、回動ベース１１１の後壁１１２Ｂには、スライド部材１２２のガイド突部１２２Ｇをガイドする第１ガイド孔１１２ＧＡが形成されると共に、突出部材１３０のガイド突部１３０Ｇをガイドする第２ガイド孔１１２ＧＢが形成されている。このような構成とすることで、図１７（Ａ）から図１７（Ｂ）の変化に示されるように、回動レバー１１７Ｖの回転によって、進退部材１２１を突出位置に直動させると共に、突出部材１３０を進退部材１２１に対して直動させ、突出位置に配置することができる。なお、図１７では、突出部材１３０が１つだけの構成となっている。
【０１１４】
（ａ４）突出部材１３０は、退避位置に配置された状態で、遊技者に視認可能であってもよい。具体的には、突出部材１３０を、進退部材１２１の装飾部１２３より前側に配置すればよい。
【０１１５】
（ａ５）進退部材１２１が第２進退位置に配置されたときに、装飾部材１２３と突出部材１３０の両方が視認困難な構成であってもよい。具体的には、装飾部材１２３及び突出部材１３０を、回動ベース１１１の後壁１１２Ｂより前側、且つ、装飾プレート１１３より後側に配置すればよい。
【０１１６】
（ａ６）上記実施形態において、遊技盤１１の前面に沿って移動する移動ベースに回動ベース１１１が回動可能に支持された構成であってもよい。
【符号の説明】
【０１１７】
１０    遊技機
１００    第１可動役物装置
１０１    固定ベース
１１０    移動演出部
１１１    回動ベース
１１１Ｊ    回転軸部
１２１    進退部材
１３０    突出部材
２００    第２可動役物装置
２１０    第１可動部
２１１    第１可動体
２２０    第２可動部
２２１    第２可動体
【図１】
2019165944.tif 000003
【図２】
2019165944.tif 000004
【図３】
2019165944.tif 000005
【図４】
2019165944.tif 000006
【図５】
2019165944.tif 000007
【図６】
2019165944.tif 000008
【図７】
2019165944.tif 000009
【図８】
2019165944.tif 000010
【図９】
2019165944.tif 000011
【図１０】
2019165944.tif 000012
【図１１】
2019165944.tif 000013
【図１２】
2019165944.tif 000014
【図１３】
2019165944.tif 000015
【図１４】
2019165944.tif 000016
【図１５】
2019165944.tif 000017
【図１６】
2019165944.tif 000018
【図１７】
2019165944.tif 000019